(57)【要約】【課題】  指標部の透過照明に加え、表示板の全面の見栄えを良好としえる斬新な透過光タイプの指示計器を提供すること。【解決手段】  表示板５には、透過照明可能な指標部４の領域とは別に、透過印刷層１６を設け、その透過印刷層１６の領域にて表示板５を透過する光量が漸次明るさが変化するように表示板５を透過照明可能とするグラデーションによる遮光印刷層からなる透過光量調整層１７を透過印刷層１６の前面側に施し、光源８と表示板５との間に透過可能な透光性基板１８を配設し、透光性基板１８には、グラデーションによる透過光量調整層１７の領域にほぼ合わせて拡散透過調整層１９を施してなる指示計器であり、透光性基板１８に設けた拡散透過調整層１９によって光源８からの光線を表示板５に設けたグラデーションによる透過光量調整層１７に照射する際に強調して光量を調整することができ、濃淡照明による照明効果を際立つように透過照明することができる。【選択図】  図４
2007078604.tif 000002
【特許請求の範囲】
【請求項１】
計器本体に設けられた回転軸の先端側に固着された指針と、この指針の回動指示する領域の背後側に位置して配設され、遮光層部分と透過層部分とからなる印刷を施して指標部が設けられた表示板と、この表示板の背後側に設けられた光源と、を備えてなる指示計器において、前記表示板には、その表示板に設けられている透過照明可能な前記指標部の領域とは別に、透過印刷層を設けるとともに、その透過印刷層の領域にて表示板を透過する光量が漸次明るさが変化するように前記表示板を透過照明可能とするグラデーションによる遮光印刷層からなる透過光量調整層を前記透過印刷層の前面側に施し、前記光源と前記表示板との間に透過可能な透光性基板を配設し、この透光性基板には、前記グラデーションによる透過光量調整層の領域にほぼ合わせて拡散透過調整層を施してなることを特徴とする指示計器。
【請求項２】
前記表示板を透過照明可能とするグラデーションによる遮光印刷層からなる透過光量調整層を、前記回転軸の軸心から外周方向に向けて前記表示板を透過する光量が漸次明るさが変化するように施してなることを特徴とする請求項１に記載の指示計器。
【請求項３】
前記グラデーションによる透過光量調整層を印刷形成してなる領域内において、前記光源からの透過光量が多いグラデーション表示領域に対応する前記透光性基板箇所には、前記拡散透過調整層を部分的に除去した透視部を設けてなることを特徴とする請求項１または請求項２に記載の指示計器。
【請求項４】
前記透光性基板に印刷されている前記拡散透過調整層を部分的に除去した前記透視部箇所の表面部分に、シボ加工を施してなることを特徴とする請求項３に記載の指示計器。
【請求項５】
前記拡散透過調整層は、透過性の調光層にて形成してなることを特徴とする請求項１から請求項４に記載の指示計器。
【請求項６】
前記表示板と前記透光性基板とは、所定の空間を配して設置してなることを特徴とする請求項１から請求項５に記載の指示計器。
【請求項７】
前記透光性基板の周縁部に立ち上がり周壁を設け、この立ち上がり周壁を前記表示板の裏面に突き当て配設してなることを特徴とする請求項６に記載の指示計器。
【請求項８】
前記光源の周囲を取り巻いて前記表示板を透過照明するための照明区域に区画する合成樹脂製のハウジングを設け、このハウジング上に前記透光性基板と前記表示板と取り付け固定してなることを特徴とする請求項１から請求項７に記載の指示計器。
【請求項９】
前記透光性基板には、位置決め部を設け、この位置決め部により前記ハウジングに位置決め保持してなることを特徴とする請求項８に記載の指示計器。
【発明の詳細な説明】
【技術分野】
【０００１】
本発明は、たとえば建設機械などの特殊車輌や船舶、あるいは自動車、オートバイ等に搭載され、光源からの照射光線で表示板を透過照明する指示計器に関するものである。
【背景技術】
【０００２】
従来、自動車などの指示計器として、光源からの照射光線で表示板を透過照明する指示計器の一般的な構成としては、図５および図６に示すように、計器本体１の回転軸２の先端側に固着され、回転軸２を中心に回転する指針３と、この指針３の背面側に位置し透過照明される目盛や数字や記号などからなる指標部４が施された表示板５と、この表示板５の背面側に位置する硬質の回路基板６と、この回路基板６上に設けられ、それぞれ指針３と表示板５を照明する光源である発光ダイオード７，８と、指針３を照明するための発光ダイオード７と表示板５側を照明するための発光ダイオード８側の照明領域を区画する合成樹脂製の枠体からなるハウジング９と、このハウジング９に設けられた円筒形の仕切壁９Ａと、によってそれぞれ照明する区域に区画して構成している。なお、前記回路基板６の背後には前記回転軸２を回動する前記計器本体１が取付固定されている。
【０００３】
指針３は指示部１０と回転軸２に固定される指針基部１１が透明な合成樹脂で一体に形成されており、指針基部１１は遮光性の合成樹脂からなる指針キャップ１２で覆われている。指示部１０は発光ダイオード７の光を受けて発光するものである。
【０００４】
表示板５は透明な合成樹脂からなる平板状の基板からなり、その表面（図中上側の面）に、目盛や数字あるいは記号などの指標部４箇所に例えば白色の半透過性表示層４Ａを形成し、その指標部４箇所を除いて表示板５の表面全体に遮光性の黒色の地色層（遮光層）４Ｂが施されている。
【０００５】
また指針発光用としての発光ダイオード７は円筒形の仕切壁９Ａの内側に位置し、回転軸２の近傍に回転軸２を中心として円形状に取り巻いて複数設けられ、この発光ダイオード７の照射光線を指針３側へと導くための導光体１３が前記円筒形の仕切壁９Ａの内側に配設されている。また、表示板５の指標部４を透過照明する発光ダイオード８は円筒形の仕切壁９Ａの外側を円形状に取り巻いて複数設けられ、この発光ダイオード８からの照射光線を表示板５の指標部４側へと導くための導光体１４が配設され、この導光体１４は前記枠体からなるハウジング９と一体に形成されたライトケース９Ｂに支持されている。
【０００６】
このように構成することにより、従来の指示計器にあっては、表示板５の表面側において指標部４である文字，数字，目盛あるいは記号などのみを背面側から光源により透過照明するものであるため、あるいは図示しないが指標部である文字，数字，目盛，記号などと表示板の背景部分である表示板の全面を表示板の背面側に設けた光源によって透過照明するものであったり、または表示板の前面側に光源を設けて直接的に照明したりあるいは間接光により表示板を照明するようにしたものや、これらの照明方式を組み合わせたものなど様々な照明手段が知られているが、いずれも平面的で単調な照明形態となってしまう結果となっている。
【０００７】
この点を考慮するものとして、昼間と夜間とで見栄えが異なり、しかも奥行き感を感じさせることのできる透過照明式指示計器として、たとえば特許文献１などに示されているように、文字板は、透光性基板とその透光性基板の裏面側に形成された透過光調整層とを有し、前記透過光調整層は、文字板裏面側から表面側へと透過する光の透過量を前記透過性基板の平面に沿って徐々に変化させるように構成した透過照明式指示計器が提案されている。また透過光調整層の表面側には色印刷層が形成されている。
【特許文献１】特開平９−９６５４６号公報
【発明の開示】
【発明が解決しようとする課題】
【０００８】
ところで、特許文献１などからなる指示計器にあっては、文字板の照明時において、透過光調整層に入射した光源の光は、透過光調整層によってその透光量が調整された上で前記透光性基板および前記色印刷層を順に透過して文字板表面側へ出射される。ここで、透過光調整層により文字板裏面側から表面側へと透過する光の透過量を前記透過性基板の平面に沿って徐々に変化させるようにグラデーション表示による印刷によって構成したことにより、従来の指示計器に比べてグラデーション表示効果によって見栄えが良くなるという効果がある反面、グラデーション表示形態に合わせただけの濃淡による単調な照明形態となってしまいやすく、斬新性に欠ける結果となっている。
【０００９】
そこで本発明は、前述の課題に対して対処するため、指標部の透過照明に加え、表示板の全面の見栄えを良好としえる斬新な透過光タイプの指示計器を提供することを目的とする。
【課題を解決するための手段】
【００１０】
本発明は、前述した課題を解決するため、請求項１の発明では、計器本体に設けられた回転軸の先端側に固着された指針と、この指針の回動指示する領域の背後側に位置して配設され、遮光層部分と透過層部分とからなる印刷を施して指標部が設けられた表示板と、この表示板の背後側に設けられた光源と、を備えてなる指示計器において、前記表示板には、その表示板に設けられている透過照明可能な前記指標部の領域とは別に、透過印刷層を設けるとともに、その透過印刷層の領域にて表示板を透過する光量が漸次明るさが変化するように前記表示板を透過照明可能とするグラデーションによる遮光印刷層からなる透過光量調整層を前記透過印刷層の前面側に施し、前記光源と前記表示板との間に透過可能な透光性基板を配設し、この透光性基板には、前記グラデーションによる透過光量調整層の領域にほぼ合わせて拡散透過調整層を施してなることを特徴とする指示計器である。
【００１１】
また請求項２では、請求項１に記載の指示計器において、前記表示板を透過照明可能とするグラデーションによる遮光印刷層からなる透過光量調整層を、前記回転軸の軸心から外周方向に向けて前記表示板を透過する光量が漸次明るさが変化するように施してなることを特徴とするものである。
【００１２】
また請求項３では、請求項１または請求項２に記載の指示計器において、前記グラデーションによる透過光量調整層を印刷形成してなる領域内において、前記光源からの透過光量が多いグラデーション表示領域に対応する前記透光性基板箇所には、前記拡散透過調整層を部分的に除去した透視部を設けてなることを特徴とするものである。
【００１３】
また請求項４では、請求項３に記載の指示計器において、前記透光性基板に印刷されている前記拡散透過調整層を部分的に除去した前記透視部箇所の表面部分に、シボ加工を施してなることを特徴とするものである。
【００１４】
また請求項５では、請求項１から請求項４に記載の指示計器において、前記拡散透過調整層は、透過性の調光層にて形成してなることを特徴とするものである。
【００１５】
また請求項６では、請求項１から請求項５に記載の指示計器において、前記表示板と前記透光性基板とは、所定の空間を配して設置してなることを特徴とするものである。
【００１６】
また請求項７では、請求項６に記載の指示計器において、前記透光性基板の周縁部に立ち上がり周壁を設け、この立ち上がり周壁を前記表示板の裏面に突き当て配設してなることを特徴とするものである。
【００１７】
また請求項８では、請求項１から請求項７に記載の指示計器において、前記光源の周囲を取り巻いて前記表示板を透過照明するための照明区域に区画する合成樹脂製のハウジングを設け、このハウジング上に前記透光性基板と前記表示板と取り付け固定してなることを特徴とするものである。
【００１８】
また請求項９では、請求項８に記載の指示計器において、前記透光性基板には、位置決め部を設け、この位置決め部により前記ハウジングに位置決め保持してなることを特徴とするものである。
【発明の効果】
【００１９】
本発明では、表示板には、その表示板に設けられている透過照明可能な前記指標部の領域とは別に、透過印刷層を設けるとともに、その透過印刷層の領域にて表示板を透過する光量が漸次明るさが変化するように前記表示板を透過照明可能とするグラデーションによる遮光印刷層からなる透過光量調整層を前記透過印刷層の前面側に施し、光源と前記表示板との間に透過可能な透光性基板を配設し、この透光性基板には、前記グラデーションによる透過光量調整層の領域にほぼ合わせて拡散透過調整層を施してなることを特徴とする指示計器であるため、透光性基板に設けた拡散透過調整層によって光源からの光線を表示板に設けたグラデーションによる透過光量調整層に照射する際に強調して光量を調整することができるものであり、濃淡照明による照明効果を際立つように透過照明することができ、従来に比べて奥行き感のある視認性の良好な指示計器を提供することができ、これにより初期の目的を達成することができる。
【発明を実施するための最良の形態】
【００２０】
本発明の請求項１では、計器本体に設けられた回転軸の先端側に固着された指針と、この指針の回動指示する領域の背後側に位置して配設され、遮光層部分と透過層部分とからなる印刷を施して指標部が設けられた表示板と、この表示板の背後側に設けられた光源と、を備えてなる指示計器において、前記表示板には、その表示板に設けられている透過照明可能な前記指標部の領域とは別に、透過印刷層を設けるとともに、その透過印刷層の領域にて表示板を透過する光量が漸次明るさが変化するように前記表示板を透過照明可能とするグラデーションによる遮光印刷層からなる透過光量調整層を前記透過印刷層の前面側に施し、前記光源と前記表示板との間に透過可能な透光性基板を配設し、この透光性基板には、前記グラデーションによる透過光量調整層の領域にほぼ合わせて拡散透過調整層を施してなることを特徴とする指示計器であるため、透光性基板に設けた拡散透過調整層によって光源からの光線を表示板に設けたグラデーションによる透過光量調整層に照射する際に強調して光量を調整することができ、濃淡照明による照明効果を際立つように透過照明することができるものであり、グラデーション表示による濃淡に加え拡散透過調整層の透過量の設定により視覚的に深みのある照明効果を期待することができる。
【００２１】
また、請求項１に記載の指示計器において、前記表示板を透過照明可能とするグラデーションによる遮光印刷層からなる透過光量調整層を、前記回転軸の軸心から外周方向に向けて前記表示板を透過する光量が漸次明るさが変化するように施してなることにより、同心円状に濃淡からなる透過照明を実現することができ、しかもグラデーション表示による濃淡に加え拡散透過調整層の透過量の設定により視覚的に深みのある照明効果を得ることができる。（請求項２）
【００２２】
また、請求項１または請求項２に記載の指示計器において、前記グラデーションによる透過光量調整層を印刷形成してなる領域内において、前記光源からの透過光量が多いグラデーション表示領域に対応する前記透光性基板箇所には、前記拡散透過調整層を部分的に除去した透視部を設けてなることにより、透視部によって光源からの照射光線を表示板の裏側へ直接的に照射することにより、さらに輝度を高めることが可能となるため濃淡による透過照明効果を強調することができる。（請求項３）
【００２３】
また、請求項３に記載の指示計器において、前記透光性基板に印刷されている前記拡散透過調整層を部分的に除去した前記透視部箇所の表面部分に、シボ加工を施してなることにより、光源に近い側の箇所では部分的に明るくなり易く、表示板上に設けられている箇所の透過による照明効果の点で照明ムラが生じてしまうという問題を、透光性基板にシボ加工を施すことによって均一的に拡散して表示板を照らし出すことができ、見やすい指示計器を提供することができる。（請求項４）
【００２４】
また、請求項１から請求項４に記載の指示計器において、前記拡散透過調整層は、透過性の調光層にて形成してなることにより、輝度を極力低下させることなく調光することができるという効果がある。（請求項５）
【００２５】
また、請求項１から請求項５に記載の指示計器において、前記表示板と前記透光性基板とは、所定の空間を配して設置してなることにより、光源に近い側に位置した表示板の透過光量調整層に直接照射される局部的に強い光線を空間部を確保することによって和らげた状態にて照射することができ、見やすい指示計器を提供することができる。（請求項６）
【００２６】
また、請求項６に記載の指示計器において、前記透光性基板の周縁部に立ち上がり周壁を設け、この立ち上がり周壁を前記表示板の裏面に突き当て配設してなることにより、所定の空間を確保しながら透光性基板上に表示板をセットすることができ、照明効果を良好にしつつ、組み付けをも簡便に行うことができるという効果がある。（請求項７）
【００２７】
また、請求項１から請求項７に記載の指示計器において、前記光源の周囲を取り巻いて前記表示板を透過照明するための照明区域に区画する合成樹脂製のハウジングを設け、このハウジング上に前記透光性基板と前記表示板と取り付け固定してなることにより、所定の空間を確保しながらハウジング上に透光性基板と表示板とを簡便にセットすることができる。（請求項８）
【００２８】
また、請求項８に記載の指示計器において、前記透光性基板には、位置決め部を設け、この位置決め部により前記ハウジングに位置決め保持してなることにより、所定の位置に簡単に組み付け保持することができる。（請求項９）
【００２９】
以下、添付図面に基づいて、本発明の指示計器を車輌用（自動車）の指示計器に適用した実施例として説明する。なお前述した従来例と同一あるいは相当箇所には同一符号を用いて説明する。
【実施例１】
【００３０】
本発明の第１実施例を図１から図４に示す。同図において、計器本体１の回転軸２の先端側に固着され、回転軸２を中心に回転する指針３と、この指針３の背面側に位置し透過照明される目盛や数字や記号などからなる指標部４が施された表示板５と、この表示板５の背面側に位置するガラスエポキシ樹脂からなる硬質の回路基板６と、この回路基板６上に設けられ、それぞれ指針３と表示板５を照明する光源である発光ダイオード７，８と、それぞれの計器本体１や表示機器などを区画するとともに、指針３を照明するための発光ダイオード７と表示板５側を照明するための照明領域を区画する合成樹脂製の枠体からなるハウジング９と、このハウジング９に設けられた円筒形の仕切壁９Ａと、によってそれぞれ照明する区域に区画して構成している。なお、前記回路基板６の背後には前記回転軸２を回動する計器本体１が取付固定されている。
【００３１】
指針３は指示部１０と回転軸２に固定される指針基部１１が透明な合成樹脂で一体に形成されており、指針基部１１は遮光性の合成樹脂からなる指針キャップ１２で覆われている。指示部１０は発光ダイオード７の光を受けて発光するように構成されている。
【００３２】
表示板５は透明な合成樹脂からなる平板状の基板からなり、その表面（図中上側の面）に、目盛や数字あるいは記号などの指標部４箇所に例えば白色の半透過性表示層４Ａを形成し、その指標部４箇所を除いて表示板５の表面全体に遮光性の黒色の地色層４Ｂが施されている。
【００３３】
指針発光用としての発光ダイオード７は円筒形の仕切壁９Ａの内側に位置し、回転軸２の近傍に回転軸２を中心として同心円状に取り巻いて複数設けられ、この発光ダイオード７の照射光線を指針３の指針基部１１側へと導くための導光体１３が前記円筒形の仕切壁９Ａの内側に配設されている。また、表示板５の指標部４を透過照明する発光ダイオード８は円筒形の仕切壁９Ａの外側に位置して回転軸２を中心として円形状に取り巻いて複数設けられ、この発光ダイオード８からの照射光線を表示板５の指標部４側へと導くための導光体１４が配設され、この導光体１４と前記指針照明用の導光体１３とは連結部１５を介して一体に形成されるとともに、導光体１３，１４は前記枠体からなるハウジング９と一体に形成されたライトケース９Ｂに支持されている。
【００３４】
また表示板照明用の導光体１４と指針照明用の導光体１３とは表示板５と回路基板６との間に位置し、ポリカーボネートやアクリルなどの透光性の合成樹脂からなり、本実施例では色の付いていない無色透明の材料を使用している。
【００３５】
図１に示すように、中央に位置した速度計からなる計器装置にあっては、導光体１４は光源となる発光ダイオード８からの光を受ける受光部１４Ａと、受光部１４Ａで受光した光線を表示板５に設けた指標部４側へと導くように反射面１４Ｂおよび射出面１４Ｃを備えているものであり、受光部１４Ａで受光し導光体１４の内部に導光された光線を表示板５の指標部４側へと導くように反射面１４Ｂで反射導光し射出面１４Ｃから指標部４に対応する表示板５の裏面側へと照射光線を導き、表示板５の指標部４を透過照明するように構成している。この実施例にあっては、ライトケース９Ｂの内面側の周辺部は、表示板５側に向けて湾曲しており、その湾曲された内面部分によって導光体１４の射出面１４Ｃから射出された光線を指標部４側に向けて反射導光するように構成している。
【００３６】
また前記表示板５には、その表示板５に設けられている透過照明可能な指標部４領域とは別に、たとえば緑色の透過性のインクからなる透過印刷層１６を設けるとともに、その透過印刷層１６の領域にて表示板５を透過する光量が漸次明るさが変化するように透過照明可能とする網点パターンなどのグラデーションによる遮光印刷層（黒色の不透過性のインク）からなる透過光量調整層１７を透過印刷層１６の前面側に施して構成している。この場合、表示板５を透過照明可能とするグラデーションによる遮光印刷層からなる透過光量調整層１７は、回転軸２の軸心から外周方向に向けてほぼ同心円状に濃淡からなる透過照明を実現することができように表示板５を透過する光量が漸次明るさが変化するように施してなるようにグラデーション表示領域を設定しており、この実施例では、透過照明時において回転軸２の軸心から外周方向に向けて漸次明るさが減じるようにグラデーションによる遮光印刷層からなる透過光量調整層１７を透過印刷層１６上に施すように構成している。また、この実施例においては、グラデーション表示領域に印刷形成する黒色の遮光印刷層からなる透過光量調整層１７と指標部４領域を除く回りを印刷形成する黒色の地色層４Ｂとを同一の印刷工程にて印刷形成しているが、別工程にてそれぞれ印刷形成するようにしてもよい。
【００３７】
また表示板５の指標部４箇所と、表示板５を透過する光量が漸次明るさが変化するように施してなるようにグラデーション表示領域の透過印刷層１６箇所とを透過照明するための光源となる発光ダイオード８との間、すなわち表示板５の背後側には、アクリル樹脂などの合成樹脂材料からなるｓ透過可能な透光性基板１８を配設し、この透光性基板１８には、グラデーション表示による透過印刷層１６と透過光量調整層１７の表示領域にほぼ合わせて白色系の色合いからなる透過性のインクによる拡散透過調整層１９を施して構成している。
【００３８】
また透光性基板１８上において、表示板５に設けたグラデーションによる透過光量調整層１７を印刷形成してなる領域において、透過照明される透過光量が多いグラデーション表示領域に対応した透光性基板１８箇所、すなわち回転軸２の軸心に近い側に位置した透光性基板１８箇所には、拡散透過調整層１９を円弧状に部分的に除去した透視部１９Ａを設けてなることにより、透視部１９Ａによって光源である発光ダイオード８からの照射光線を表示板５の裏側へ直接的に照射することにより、さらに輝度を高めることが可能となり、濃淡による透過照明効果を強調することができる。
【００３９】
また透光性基板１８に印刷されている拡散透過調整層１９を部分的に除去した透視部１９Ａ箇所の表面部分に、シボ加工２０を施してなることにより、光源である発光ダイオード８に近い側の箇所では部分的に明るくなり易く、表示板５上に設けられている箇所の透過による照明効果の点で照明ムラが生じてしまうという問題を、透光性基板１８にシボ加工２０を施すことによって均一的に拡散して表示板５を照らし出すことを可能としている。
【００４０】
また透光性基板１８の周縁部に立ち上がり周壁１８Ａを設け、この立ち上がり周壁１８Ａを表示板５の裏面に突き当て配設してなるように構成している。すなわち、立ち上がり周壁１８Ａによって表示板５と透光性基板１８との間に所定の空間Ｓを配して設置することができるように構成しているものであり、所定の空間Ｓを確保しながら透光性基板１８上に表示板５をセットすることができ、照明効果を良好にしつつ、組み付けをも簡便に行うことができるようにしている。
【００４１】
この際、透光性基板１８には、位置決め部１８Ｂが一体的に設けられ、この位置決め部１８Ｂ位置に対応するハウジング９箇所に受け部９Ｃが設けられているため、ハウジング８に透光性基板１８をセットして組み付ける際、透光性基板１８の位置決め部１８Ｂとハウジング９に設けた受け部９Ｃとを位置合わせしながら所定の位置に簡単に位置決め保持することができ、位置決め部１８Ｂによって誤って組み付けてしまうという問題も未然に解決することができる。
【００４２】
なお、２１は表示板５の周縁部分などから指示計器の内部が見えないように目隠しする見返しパネルである。
【００４３】
また上記構成からなる第１実施例における指示計器の照明装置においては、指針発光用としての発光ダイオード７から照射される光線は、導光体１３を介して指針３に設けられた指針基部１１へと入光し、指示部１０が発光する。
【００４４】
また表示板発光用としての発光ダイオード８から照射される光線は、導光体１４の受光部１４Ａから上方に向かい導光体１４内に入り、反射面１４Ｂで反射されて横方向へと導光され、導光体１４の射出面１４Ｃからライトケース９Ｂへと光線が射出され、射出された光線は、ライトケース９Ｂの内面側に設けられた湾曲部分にて反射され、表示板５の指標部４へと案内され、指標部４の半透過性表示層４Ａが照射光線によって白色で明るく透過照明される。
【００４５】
また表示板５の指標部４（半透過性表示層４Ａ）の透過照明とともに、前記発光ダイオード８から照射された光線は、導光体１４に入光した光線の一部が発光ダイオード８の上方位置から導光体１４の外部へと漏光し、この漏光した照射光線が透光性基板１８に印刷されている拡散透過調整層１９および拡散透過調整層１９を部分的に除去した透視部１９Ａ箇所を照射しながら表示板５に設けたグラデーション表示領域へと導かれ、透過照明時において回転軸２の軸心から外周方向に向けて漸次明るさが減じるようにグラデーションによる遮光印刷層からなる透過光量調整層１７によって透過光量が設定されながら、透過印刷層１６の緑色の色合いがそのまま透過照明される。
【００４６】
この際、透光性基板１８上において、表示板５に設けたグラデーションによる透過光量調整層１７を印刷形成してなる領域において、透過照明される透過光量が多いグラデーション表示領域に対応した透光性基板１８箇所、すなわち回転軸２の軸心に近い側に位置した透光性基板１８箇所では、拡散透過調整層１９を円弧状に部分的に除去した透視部１９Ａを設けてなることにより、透視部１９Ａによって発光ダイオード８からの照射光線が表示板５の裏側へ直接的に照射されるため、これにより、通常のグラデーションによる濃淡印刷に加えてさらに部分的に輝度を高めた状態を維持して透過照明することが可能となるとともに、拡散透過調整層１９を施してなる箇所では、拡散透過調整層１９によって照射光量が抑えられるため、全体のグラデーション表示領域において濃淡による透過照明効果を強調することができ、グラデーション表示による濃淡に加え拡散透過調整層１９の透過量の設定により視覚的に深みのある照明効果を期待することができる。
【００４７】
また透光性基板１８に施されている拡散透過調整層１９の領域において、その拡散透過調整層１９を部分的に除去した透視部１９Ａ箇所の表面部分に、シボ加工２０を施してなることにより、発光ダイオード８に近い側の箇所（光源に近い側）では部分的に明るくなり易く、表示板５上に設けられている箇所の透過による照明効果の点で照明ムラが生じてしまうという問題を、透光性基板１８の表面にシボ加工２０を施すことによって局部的に明るくなりやすい箇所を抑えることができるとともに、均一的に拡散して表示板５を明るく照らし出すことできる。
【００４８】
なお本発明は、前述した実施例に限定されるものではなく本発明の要旨の範囲内において種々の変形実施が可能であり、たとえば前述した各実施例では、光源として発光ダイオードを用いていたが、ランプや冷陰極管による光源であってもよいし、光源の数や設置位置などは導光体１４の厚みや形状などに合わせて設定すればよい。また実施例では導光体１４を無色透明に形成していたが、場合によっては、表示板５に設ける指標部４やグラデーション表示領域に施す透過印刷層１６の色合いなどによっては、着色形成してもよいものであり、また条件によっては、導光体を削除し光源からの照射光線を直接的に透光性基板１８および表示板５へと透過照明するように構成してもよい。
【００４９】
また指針３を照明する必要のない指示計器であれば、発光ダイオード７を設ける必要はなく、表示板５専用の光源である発光ダイオード８を設ける構成としてもよいものであり、また透光性基板１８の周縁部に立ち上がり周壁１８Ａをほぼ連続的に設けていたが、この立ち上がり周壁１８Ａを部分的に突き出し形成して表示板５の裏面に部分的に突き当て配設してなるように構成しても同様の効果を得ることができるものであり、また透光性基板１８の周縁の適所（１箇所）に位置決め部１８Ｂを一体的に設けていたが、この位置決め部１８Ｂの数や配置・形状などは適宜設定すればよいものである。
【００５０】
また、表示板５に設けるグラデーション表示形態として、実施例においては指針軸２を軸心として同心円状にして透過光量調整層１７の濃淡度の度合いによるドットパターンからなるグラデーション表示を形成していたが、実施例形状や印刷パターンに限定されることなく、楕円形状や形状あるいは直線状からなる濃淡によるグラデーション表示形態として形成してもよいものであり、ドットパターンに限らず網点模様による濃淡によるグラデーション表示印刷など変形が可能である。また、そのグラデーション表示形状に合わせて透光性基板１８に拡散透過調整層１９を印刷などの手段によって形成することによって、透過照明時において、光源８からの光線を表示板５に設けたグラデーション表示による透過光量調整層１７に照射する際に強調して光量調整することができ、濃淡照明による照明効果を際立つように透過照明することができるものであり、表示板５全体が照射光線によって立体的に見え、見栄えの良好な表示板５の照明効果をもたらすことができ、これにより斬新な照明装置を提供することができる。
【００５１】
また、実施例では、表示板５に設けられる指標部４の半透過性表示層４Ａや遮光性の地色層４Ｂ、グラデーション表示形態を形成する透過印刷層１６および透過光量調整層１７などの印刷を表示板５の表面側に設けていたが、裏面側に印刷したり、あるいは表裏面に分けて印刷を施すようにしてもよいものであり、部分的に着色を施さない抜き印刷によって形成したり、各印刷層の色合いとしても、実施例に限定されるものでなく透過照明色など各種色合いを適宜設定することが可能である。
【産業上の利用可能性】
【００５２】
また、前述した実施例などにおいて詳述したように、車輌用の指示計器を例にして計器の照明装置を説明したが、車両用計器に限らず船舶用計器あるいは農業機械の計器などにおいても適用することが可能である。
【図面の簡単な説明】
【００５３】
【図１】図１は、本発明の第１実施例における車両用の指示計器を示す正面図である。
【図２】図２は、図１の表示板を一部切り欠き形成した指示計器の要部拡大正面図である。
【図３】図３は、図１の指示計器における照明装置の要部を示す断面図である。
【図４】図４は、図３の指示計器における照明装置の要部拡大断面図である。
【図５】図５は、従来の指示計器を示す正面図である。
【図６】図６は、図５の指示計器における照明装置の要部を示す断面図である。
【符号の説明】
【００５４】
１    計器本体
２    指針軸
３    指針
４    指標部
４Ａ    半透過性表示層
４Ｂ    地色層
５    表示板
６    回路基板
７    発光ダイオード（光源）
８    発光ダイオード（光源）
９    ハウジング
９Ａ    仕切壁
９Ｂ    ライトケース
９Ｃ    受け部
１０    指示部
１１    指針基部
１２    指針キャップ
１３    導光体
１４    導光体
１５    連結部
１６    透過印刷層
１７    透過光量調整層
１８    透光性基板
１８Ａ    立ち上がり周壁
１８Ｂ    位置決め部
１８Ｃ    透視部
１９    拡散透過調整層
２０    シボ加工
２１    見返しパネル
Ｓ    空間
【図１】
2007078604.tif 000003
【図２】
2007078604.tif 000004
【図３】
2007078604.tif 000005
【図４】
2007078604.tif 000006
【図５】
2007078604.tif 000007
【図６】
2007078604.tif 000008